(57)【特許請求の範囲】
【請求項１】
扉Ｄ端に取り付けられるカップ３の一端部に、２個のリンク５・６を介してアーム７を連結し、該アーム７の内側面に取付角調節ネジ１５により取付部材１０を取り付けて装着部材２を構成し、該装着部材２と、家具の扉口に取り付けられる被装着部材たる固定座１との間を、着脱自在としたスライドヒンジにおいて、
前記取付部材１０は、前記アーム７の内面に沿う背板部分１０ａと、該背板部分１０ａの両長辺端部が対向面方向に屈曲されてなる一対の対向板部１０ｂ，１０ｂとを形成し、各対向板部１０ｂ，１０ｂの長手方向の両端部に、各一対の長孔１０ｃ，１０ｄを、それぞれ長手方向に対向して開設し、該各一対の長孔１０ｃ，１０ｄにそれぞれピン１１，１２の両端部を掛架し、各ピン１１，１２に相互に引っ張り方向への付勢力を有するバネ１３の両端部を掛止し、各ピン１１，１２に相互に接近する方向の付勢力を保有させ、
また、前記固定座１の上部には、前記取付部材１０の内側に沿う平行な２つの板部１ｂ，１ｂを立設形成し、該板部１ｂ，１ｂの前端及び後端の上端部にそれぞれ斜面部１ｄ，１ｄを形成し、各斜面部１ｄ，１ｄの下方に、取付部材１０の先端部及び後端部に係架した前記２本のピン１１，１２を係止する係止部１ｃ，１ｃを形成し、
前記各ピン１１，１２のうちの、固定座１側の前記取付部材１０に係架されているピン１２には、操作部材１４の一端部を枢着し、該操作部材１４を前記取付部材１０の後端に当接させながら回動操作することにより、該ピン１２を前記長孔１０ｄ内の移動を自在としたことを特徴とするスライドヒンジ。
【請求項２】
請求項１記載のスライドヒンジにおいて、前記取付部材１０の対向板部１０ｂ，１０ｂの下端部に、台形の切欠きで形成された被係合部１０ｇ，１０ｇを設け、前記両板部１ｂ，１ｂの外側面基部に、前記被係合部１０ｇ，１０ｇに突入する台形の突起より成る係合部１ｅ，１ｅを形成したことを特徴とするスライドヒンジ。
【発明の詳細な説明】
【０００１】
【発明の属する技術分野】
本発明は収納キャビネット等の家具類の扉、いわゆるシステムキッチン等の収納部の扉、建築物の扉、等を回動自在に収納部前面に枢着するスライドヒンジ、特に分離が自在なスライドヒンジに関する。
【０００２】
【従来の技術】
従来技術によるスライドヒンジの一例として、特開平８−３２６３９９号公報に記載の「スライドヒンジ」、特開平７−６２９４４号公報に記載の「スライドヒンジ」が提案されている。
【０００３】
特開平８−３２６３９９号公報に記載のスライドヒンジの構造は、同公報に記載のように、断面コ字型をしたアーム１の先端部に設けた一対の透孔１ｃと１ｄにそれぞれピン１６ａ，１７ａによって第１リンク１６の一端部と第２リンク１７の一端部とが枢着され、さらに第１リンク１６と第２リンク１７の他端部がそれぞれカップ１５に枢着されている。アーム１には下から調整座２が嵌入されており、アーム１に穿設された長孔１ａと調整座２に穿設した螺孔１ｂに螺合する左右調整ネジ４の軸細部４ｂを調整座２のＵ形溝２ｂに係合させてアーム１と調整座２とが一体に連結されている。この調整座２の他端部に設けた一対の透孔２ｆにリベット１１が係架されている。この調整座２の一端部に設けた一対の透孔２ｇにラッチ８がシャフト９で回動可能に、かつばね１０で付勢されて連結されている。このラッチ８には係止爪８ｂが形成され、また調整座２の後端下部には一対の突起２ｅが突設されている。そしてこの調整座２に嵌着するプレート５は、先端部の両側縁基部に半円弧切欠き５ｆを形成し、後部の傾斜面５ｇには一対の長孔５ｈが形成されており、このプレート５をベースプレート６に冠して上下調整ネジ７を螺孔６ａに螺着して一体に連結されている。
【０００４】
このスライドヒンジを用いて扉を筺体に取り付ける手法を説明すると、
先ず指先でラッチ８を手前方向に回動させてからアーム１の後端部を手前に引いて、長孔５ｈ内から係止爪８ｂを離脱させ、アーム１を横方向に少し動かしてリベット１１を半円弧切欠き５ｆから外して、カップ１５及びアーム１が組み付けられた調整座２と、ベースプレート６が組み付けられたプレート５とを分離させる。
次に、このように分離したスライドヒンジの一方側のカップ１５を扉端の所定の箇所に形成した開口内に嵌め込んでネジ止めして取り付け、またスライドヒンジの他方側のベースプレート６を筺体内の開口の所定の箇所にネジ止めして取り付ける。
続いて、扉を持ち上げて、嵌着部材１２の調整座２に係架されたリベット１１をプレート５先端の両側縁基部に形成された半円弧状切欠き５ｆに係止し、続いて被嵌着部材１３に嵌着部材１２をリベット１１を中心として嵌着部材１２が回動するように押し付けると、プレート５の後端部の傾斜面５ｇに穿設された一対の長孔５ｈに前記ラッチ８の係止爪８ｂの下縁が摺動しながらばね１０で付勢されたラッチ８の係止爪８ｂが長孔５ｈに係止し、その際、同時に前記一対の突起２ｅが対応する一対の長孔５ｈに挿入嵌着されてスライドヒンジが一体に組み付けられ、これにより扉が筺体に回動開閉自在に取り付けられる。
【０００５】
【発明が解決しようとする課題】
上述した従来構造のスライドヒンジの被嵌着部材１３は、ベースプレート６を被せるようにしてプレート５を位置させ、上下調整ネジ７をプレート５に形成した長孔からベースプレート６に形成した螺孔６ａ内に螺通してベースプレート６とプレート５とを螺着して、プレート５がベースプレート６に対して上下調節自在な構造であるという利点を有しているが、反面、上下調整ネジ７を中心としてプレート５が回動方向にズレを起こしたり、プレート５が上下方向にズレ易くなる。すなわち扉が下方にズレ易くなるという不具合がある。
【０００６】
また、上記従来技術のスライドヒンジによると、調整座２をプレート５に連結する手法は、調整座２側のリベット１１をプレート５先端の半円弧状切欠き５ｆに係止し、続いてアーム１の後端部をプレート５側に押しつけてラッチ８の係止爪８ｂと前記突起２ｅを前記長孔５ｈに押し入れて係止する構造を有しているが、例えばシステムキッチンの流し台の下の収納部に扉を取り付ける時及び、狭い収納部に扉を取り付ける時には、作業者の姿勢が低くなったり取付箇所が見辛くなったりして取付操作が行ない難い場合に、先に係止爪８ｂと前記突起２ｅを前記長孔５ｈ内に突入させてしまう場合がある。
勿論このような場合には、指先でラッチ８を回動させてその係止を解除させればよいのであるが、同公報の添付図の図５に示すように、ラッチ８と収納部の壁面との間隔があまり大きくない場合には、プレート５の先端部にリベット１１が掛かっていなくて調整座２の基部側が浮いた状態のときには、ラッチ８と収納部の壁面との間隔はさらに小さくなり、ラッチ８を指先で引っ掛けることさえ困難な事態が生じて、取付作業に支障を来すばかりでなく作業者をイライラさせる、といった不具合がある。
【０００７】
なお、上記公報における明細書中、カップ１５とアーム１とが第１リンク１６と第２リンク１７とによって連結させていることが記載され、また添付図の図１においてこれを図示しているが、明細書及び図２以降の添付図において、カップ１５を所定の回動位置まで回動させると、カップ１５（扉）を閉じる方向に付勢力を与えたり、またカップ１５（扉）を開ける方向に付勢力を与えたりするバネの取付構造が不明である。
この点について、同公報の図１〜図９において、アーム１の先端部に三対の透孔が形成されており、このうちの二対の透孔１ｃ，１ｄは第１リンク１６と第２リンク１７を枢着するピン１６ａ，１７ａを係架するものであることから、残りの一対の透孔がバネを嵌入保持させるピンを係架するものであることが想定される。これについては、この構造が極めて似ていると思われる特開平６−３４６６５３号公報に記載の明細書における記載及び添付図の図３に描かれている構造を見れば、このピン３３にダブルコイルバネ１９を嵌入保持させ、このバネ１９を利用して（第１）リンク１６に付勢力を与えていることで理解できるが、このようにアーム１の先端部に２つのリンクとバネを支持する３本のピンを係架させる構造は、細かな組付作業を必要とし、また製造コストにも影響する、という不具合がある。
【０００８】
本願発明者は、上述した不具合に対し、いかにして、スライドヒンジ自体の上下方向のズレが生じ易くなるのを防ぎ、調整座の先端部が先にプレートに引っ掛かった場合でも問題なくそのまま両者を連結させることができ、さらにアーム先端部の取付部分の構造を簡素にしかも上部で開・閉方向への付勢力が強いスライドヒンジにするにはどのようにすればよいのかを鋭意検討してきた結果、次のような構成を創作するに至った。
【０００９】
そしてその目的は、ベースプレートとしての固定座の上部に、前記取付部材の内側に沿う平行な２つの板部を立設形成し、この２つの板部の前端及び後端の上端部にそれぞれ斜面部を形成し、各々斜面部の下方に、取付部材の先端部及び後端部に係架した２本のピンを係止する係止部を形成することによって、スライドヒンジ自体の上下方向のズレが生じ易くなるのを防ぐことができ、
また、調整座としての取付部材は前記アームの内面に沿う背板部分とこの背板部分の両長辺端部が対向面方向に屈曲されてなる一対の対向板部とが形成されており、各対向板部の取付部材の長手方向の両端部に、各一対の長孔がそれぞれ長手方向に長く向くように対向して開設され、各一対の長孔にそれぞれピンの両端部が掛架され、各ピンに相互に引っ張り方向への付勢力を有するバネの両端部が掛けられて、各ピンには相互に接近する方向に付勢力を保有させることによって、取付部材の後端部のピンを先に固定座に掛ける場合でも、取付部材の先端部のピンを先に固定座に掛ける場合のどちらの場合でも、またこれらピンを同時に固定座に掛けるような場合でも、何ら問題なくそのまま取付部材を固定座に連結させることができ、
しかも、前記各ピンのうちの前記取付部材の後部に位置するピンを、前記アームの後端に位置する操作部材の一端部に支持させて、該操作部材を前記取付部材の後端部分に当接させながら回動操作することにより該ピンを前記長孔内の後方への移動を自在としたことにより、ワンタッチで固定座から取付部材を離脱させることができるのである。
【００１０】
【課題を解決するための手段】
以上の目的を達成するために提案される本発明の構成は、次の如くである。
請求項1 においては、扉Ｄ端に取り付けられるカップ３の一端部に、２個のリンク５・６を介してアーム７を連結し、該アーム７の内側面に取付角調節ネジ１５により取付部材１０が取り付けて装着部材２を構成し、該装着部材２と、家具の扉口に取り付けられる被装着部材たる固定座１との間を、着脱自在としたスライドヒンジにおいて、前記取付部材１０は、前記アーム７の内面に沿う背板部分１０ａと、該背板部分１０ａの両長辺端部が対向面方向に屈曲されてなる一対の対向板部１０ｂ，１０ｂとを形成し、各対向板部１０ｂ，１０ｂの長手方向の両端部に、各一対の長孔１０ｃ，１０ｄを、それぞれ長手方向に対向して開設し、該各一対の長孔１０ｃ，１０ｄにそれぞれピン１１，１２の両端部を掛架し、各ピン１１，１２に相互に引っ張り方向への付勢力を有するバネ１３の両端部を掛止し、各ピン１１，１２に相互に接近する方向の付勢力を保有させ、また、前記固定座１の上部には、前記取付部材１０の内側に沿う平行な２つの板部１ｂ，１ｂを立設形成し、該板部１ｂ，１ｂの前端及び後端の上端部にそれぞれ斜面部１ｄ，１ｄを形成し、各斜面部１ｄ，１ｄの下方に、取付部材１０の先端部及び後端部に係架した前記２本のピン１１，１２を係止する係止部１ｃ，１ｃを形成し、前記各ピン１１，１２のうちの、固定座１側の前記取付部材１０に係架されているピン１２には、前記操作部材１４の一端部を枢着し、該操作部材１４を前記取付部材１０の後端に当接させながら回動操作することにより、該ピン１２を前記長孔１０ｄ内の移動を自在としたものである。
【００１１】
また、請求項2 においては、請求項１記載のスライドヒンジにおいて、前記取付部材１０の対向板部１０ｂ，１０ｂの下端部に、台形の切欠きで形成された被係合部１０ｇ，１０ｇを設け、前記両板部１ｂ，１ｂの外側面基部に、前記被係合部１０ｇ，１０ｇに突入する台形の突起より成る係合部１ｅ，１ｅを形成したものである。
【００１２】
【発明の実施の形態】
次に本発明のスライドヒンジの具体的な構成を添付図面に示した実施例に従って詳述する。
図１は本発明のスライドヒンジの１実施例を示す分解斜視図、図２（イ）は同じく装着部と被装着部とが分離した状態を示す斜視図、（ロ）は同じく装着部と被装着部とを連結させた状態を示す斜視図、図３は同じく装着部と被装着部とが連結した状態を示す斜視図、図４は同じく平面図、図５（イ）は図３におけるＡーＡ切断部端面図、（ロ）は同じくＢーＢ切断部端面図、図６，図７は何れも装着部と被装着部とを連結する手法を示した平面断面図、図８は本発明のスライドヒンジを略直角に回動させて扉を閉じた状態を示す平面断面図である。
【００１３】
図１乃至図６に示すように、本発明のスライドヒンジは、収納部の開口端に装着する被装着部材たる固定座１と、扉端に装着する装着部材２とが、ワンタッチで分離でき、しかも連結できるように構成されている。
【００１４】
装着部材２は扉端の内側面に装着するカップ３の一端部に突入したピン４ａ，４ｂに２個のリンク５，６の一端部が枢着されて、カップ３と２個のリンク５，６が連結されている。またこれら２個のリンク５，６の他端部がアーム７一端部に係架されているピン８ａ，８ｂにより連結され、カップ３とアーム７とがリンク５，６を介して回動自在に連結されている。なお、ピン８ａにはダブルコイルバネ９が嵌入支持されている。３ｄはカップ３の取付座、３ｃは凹部である。
【００１５】
前記アーム７は長手方向の側面視形状が略コ字型を有し、その天板部（後述する取付時においては手前側の板面に相当する）７ｂの略中央には、取付角調節ネジ１５を螺装する螺孔７ｃが形成され、前記リンク５，６の枢着部と長手方向に反対側の端部の天板部７ｂには、取付位置調節ネジ１６の軸部を挿通させ、且つ、その頭部を係止させる湾曲形状の切欠き７ｄが形成されている。
そしてこのアーム７の内側面に沿って、取付部材１０が位置している。この取付部材１０は、アーム７の内面に沿う背板部分（後述する取付時においては手前側の板面に相当する）１０ａと、この背板部分１０ａの両長辺端部が対向面方向に屈曲されてなる一対の対向板部１０ｂ，１０ｂとが形成されており、各対向板部１０ｂ，１０ｂの長手方向の両端部に、各一対の長孔１０ｃ，１０ｃ、１０ｄ，１０ｄがそれぞれ長手方向に長く対向して開設され、各一対の長孔１０ｃ，１０ｃ、１０ｄ，１０ｄにそれぞれピン１１，１２の両端部が掛架されている。
ここに用いられるピン１１，１２はリベットタイプのピンで、上記各長孔１０ｃ，１０ｃ、１０ｄ，１０ｄ内から外れて抜け落ちたり、傾いて移動しないようになっている。そして各ピン１１，１２の中央に相互に引っ張り方向への付勢力を有するバネ１３の両端部が掛けられて、各ピンには相互に接近する方向に付勢力を保有させている。
【００１６】
なお、前記各ピン１１，１２のうちの、前記取付部材１０の後部（前記カップ３方向と反対側の端部）に係架されているピン１２の両端部は、前記長孔１０ｄ，１０ｄ内から僅かながら突出しており、この両突出端部には、前記取付部材１０の後部に支持され且つ取付部材１０の後端に当接させながら回動操作して、該ピン１２を長孔１０ｄ，１０ｄ内後方へ移動させることができる操作部材１４が枢着されている。
【００１７】
このように形成された取付部材１０は、背板部分１０ａの先端部に形成された湾曲形状の切欠き１０ｆ内に、前記アーム７の螺孔７ｃに螺通している前記取付角調節ネジ１５の先端首部１５ａを係止し、また該背板部分１０ａの後部に形成された螺孔１０ｅ内に前記アーム７の切欠き７ｄに頭部を係止した前記取付位置調節ネジ１６を枢着することによって、アーム７が取付部材１０に跨がるようにして両者が装着され、しかも、ドライバーを用いて前記取付角調節ネジ１５の進退操作させることにより、アーム７と取付部材１０との取付角が調整出来、また、ドライバーを用いて前記取付位置調節ネジ１６を緩めることにより、アーム７と取付部材１０との長手方向の取付位置の調整ができることができるように構成されている。
【００１８】
被装着部材たる固定座１は、正面視矩形状を有し、その４隅面にネジ孔が形成された座本体１ａの上部に、前記取付部材１０の対向板部１０ｂ，１０ｂの内面に略沿う程度の間隔を有する平行な２つの板部１ｂ，１ｂが形成されており、しかもこの板部１ｂ，１ｂの前端及び後端の上端部にそれぞれ斜面部１ｄ，１ｄ・・が形成され、さらに各斜面部の下方となる板部１ｂ，１ｂの両側端箇所に、前記ピン１１，１２を係止する係止部１ｃ，１ｃ・・がそれぞれ形成されている。
【００１９】
なお、前記板部１ｂ，１ｂの外側面基部には、前記取付部材１０の対向板部１０ｂ，１０ｂの下端部に形成された被係合部１０ｇ，１０ｇに突入する台形の係合部１ｅ，１ｅが一体形成されている。
【００２０】
このような構成を有する本発明のスライドヒンジは、図２（イ）に示すように装着部材２と被装着部材１とを分離し、また図２（ロ）〜図４に示すように装着部材２と被装着部材１とを連結することが、ワンタッチで行える。
【００２１】
次に、装着部材２と被装着部材１とを連結する２通りの取付手法を、図６，図７により説明する。
図６の手法は、先ず、装着部材２と被装着部材１とを分離させた状態で、収納部Ｓの収納口の側板Ｓ１の所定の位置に前記固定座１を木ネジで止めて装着し、また扉の一端内側面の所定の位置に前記カップ３を木ネジで止めて装着する。
【００２２】
続いて、扉Ｄを持ち上げて、取付部材１０が固定座３の板部１ｂ，１ｂに被さるように手前側から添え、取付作業者から見て手前側に位置する固定座１の上下２つの係止部１ｃに、取付部材１０に係架されている手前側のピン１２を掛けた状態で、アーム７の先端部を指先で固定座１に強く押し付けると、このピン１２が固定座３の板部１ｂ，１ｂ端の斜面部１ｄ，１ｄに押されるようにして長孔１０ｄ後方に移動してその下方の係止部１ｃ，１ｃに突入し、前後の係止部１ｃ，１ｃ、１ｃ，１ｃにピン１１，１２が掛かるようにする。
【００２３】
なお、この状態のままでは、取付部材１０がバネ１３で付勢された２本のピン１１，１２で係止されており、しかも２本のピン１１，１２の両端部が長孔１０ｃ，１０ｃ、１０ｄ，１０ｄに係架されて移動自在なため、取付部材１０が前後方向にズレて固定座１に装着される可能性があるが、本構成においては、取付部材１０の対向板部１ｂ，１ｂの両外面の略中央下部に形成された台形の突起で形成される係合部１ｅ，１ｅが、取付部材１０の対応箇所に形成された台形の切欠きで形成される被係合部１０ｇ，１０ｇ内に突入するため、上述したズレは最終的には生じない。
【００２４】
次に図７に示す取付手法を説明すると、先ず、分離させた装着部材２と被装着部材たる固定座１を収納部及び扉の所定箇所に取り付ける手法は前述と同様である。
【００２５】
図７に示す手法は、取付部材１０が固定座３の板部１ｂ，１ｂに被さるように先端（奥）側から添えて、取付作業者から見て先端（奥）側に位置する固定座１の、上下２つの係止部１ｃに、取付部材１０に係架されている先端（奥）側のピン１１を掛けた状態で、アーム７の手前部を指先で固定座１に強く押し付け、ピン１１が固定座３の板部１ｂ，１ｂ端の斜面部１ｄ，１ｄに押されるようにして長孔１０ｃ，１０ｃ後方に移動させてその下方の係止部１ｃ，１ｃに突入し、前後の係止部１ｃ，１ｃ、１ｃ，１ｃにピン１１，１２が掛かるようにする。
【００２６】
このように２通りの方法が選択できると次のような点で便利である。
例えば、作業者が図６に示すように、ピン１１を先に係止部１ｃ，１ｃに掛けようと思っても、この係止箇所が狭く小さな箇所であるため、また目視できない箇所であるため、誤ってピン１２を先に係止部１ｃ，１ｃに掛けてしまう場合がある。従来、このような場合には、このような先端部の引っ掛かりを外さなければならないという面倒な作業が必要であったが、本発明のスライドヒンジはこのような状態、即ち、図７に示すような状態になってもアーム７の押す位置を変えるだけで、そのままワンタッチで両者を連結させることができるのである。
【００２７】
勿論、スライドヒンジの連結において、図６に示すように先端側を先に掛けるのが最適なのか、図７に示すように手間側を先に掛けるのが最適なのかは、誤って何れかを先に掛けてしまうといった問題とは別の点においても重要である。
【００２８】
例えば、前記取付角調節ネジ１５を大きく進退操作させて、アーム７と取付部材１０との取付角がある程度ある時や、前記取付位置調節ネジ１６を調整してアーム７と取付部材１０の前後位置を多少ズラした状態で、連結する場合には、アーム７の手前下部や、取付部材１０の先端側の下端部又は手前側の下端部が、固定座１の座本体１ａの縁に接当し易く、その連結がし難くなるが、このような場合に最適の係止手法を選択して、そのような事態を防ぐようにすることができるのである。
【００２９】
なお、このようにしてスライドヒンジを連結した後、扉Ｄを閉じると、図８に示すように、取付部材１０の天板部分１０ａの内側面に一端９ａ，９ａが接当し、その他端９ｂ，９ｂが内側のリンク６のアーム７側基部に付勢力をもって接当しているダブルコイルバネ９の他端９ｂ，９ｂの当接位置が変わり、閉じる方向に付勢力を残したまま、図８のように閉じる。
【００３０】
なお、一旦連結されているスライドヒンジを装着部材２と被装着部材１とに、分離するには、操作部材１４後端の操作部を装着部材２上部に接当させるようにして、手前方向（図４，図５では上方）に回動させてピン１２を後方に移動させて、固定座１の係止部１ｃ，１ｃから外し、続いて装着部材２（取付部材１０）を傾けて反対側のピン１１固定座１の係止部１ｃ，１ｃから外すようにすれば良い。
【００３１】
【発明の効果】
本発明のスライドヒンジを、請求項１の如く構成したので、ベースプレートとしての固定座の上部に、前記取付部材の内側に沿う平行な２つの板部を立設形成し、この２つの板部の前端及び後端の上端部にそれぞれ斜面部を形成し、各々斜面部の下方に、取付部材の先端部及び後端部に係架した２本のピンを係止する係止部を形成したことによって、スライドヒンジ自体の上下方向のズレが生じ易くなるのを防ぐことができたのである。
【００３２】
また、調整座としての取付部材を、前記アームの内面に沿う背板部分とこの背板部分の両長辺端部が対向面方向に屈曲されてなる一対の対向板部とに形成し、各対向板部の取付部材の長手方向の両端部に、各一対の長孔をそれぞれ長手方向に長く向くように対向して開設し、各一対の長孔にそれぞれピンの両端部を掛架し、各ピンに相互に引っ張り方向への付勢力を有するバネの両端部を掛け、各ピンに相互に接近する方向への付勢力を保有させたことによって、取付部材の後端部のピンを先に固定座に掛ける場合でも、取付部材の先端部のピンを先に固定座に掛ける場合のどちらの場合でも、またこれらピンを同時に固定座に掛けるような場合でも、何ら問題なくそのまま取付部材を固定座に連結させることができたのである。
【００３３】
また、前記各ピンのうちの前記取付部材の後部に位置するピンを、前記アームの後端に位置する操作部材１４の一端部に枢着させて、該操作部材１４を前記取付部材の後端部分に当接させながら回動操作して、該ピンを付勢力に対抗して前記長孔内の後方に移動させることが出来るように構成したことによって、ワンタッチで固定座から取付部材すなわち装着部材２を離脱させることができたのである。
【００３４】
請求項２の如く構成したので、取付部材１０がバネ１３で付勢された２本のピン１１，１２で係止されており、しかも２本のピン１１，１２の両端部が長孔１０ｃ，１０ｃ、１０ｄ，１０ｄに係架されて移動自在なため、取付部材１０が前後方向にズレて固定座１に装着される可能性があるが、本発明の請求項２の如く構成したので、取付部材１０の対向板部１ｂ，１ｂの両外面の略中央下部に形成された台形の突起で形成される係合部１ｅ，１ｅが、取付部材１０の対応箇所に形成された台形の切欠きで形成される被係合部１０ｇ，１０ｇ内に突入するため、上述したズレは最終的には生じないのである。
【図面の簡単な説明】
【図１】  本発明のスライドヒンジの１実施例を示す分解斜視図である。
【図２】  （イ）は同じく装着部と被装着部とが分離した状態を示す斜視図である。
（ロ）は同じく装着部と被装着部とを連結させた状態を示す斜視図である。
【図３】  同じく装着部と被装着部とが連結した状態を示す斜視図である。
【図４】  同じく平面図である。
【図５】  （イ）は図３におけるＡーＡ切断部端面図である。
（ロ）は同じくＢーＢ切断部端面図である。
【図６】  装着部と被装着部とを連結する手法を示した平面断面図、
【図７】  装着部と被装着部とを連結する手法を示した平面断面図、
【図８】  スライドヒンジを略直角に回動させて扉を閉じた状態を示す平面断面図、
【符号の説明】
１  固定座（被装着部材）
２  装着部材
３  カップ
４ａ，４ｂ  ピン
５  リンク
６  リンク
７  アーム
８ａ，８ｂ  ピン
９  ダブルコイルバネ
１０  取付部材
１０ｃ，１０ｃ、１０ｄ，１０ｄ  長孔
１１，１２  ピン
１３  バネ
１４  操作部材
【図１】
0003763949.tif 000002
【図２】
0003763949.tif 000003
【図３】
0003763949.tif 000004
【図４】
0003763949.tif 000005
【図５】
0003763949.tif 000006
【図６】
0003763949.tif 000007
【図７】
0003763949.tif 000008
【図８】
0003763949.tif 000009